(57)【要約】【課題】既に玉が存在する発射玉待機位置に、次の玉が繰り出されることで生じる不具合を解消する。【解決手段】球供給装置１０が繰り出す玉を球発射機構部２０の発射玉待機位置へ取り込む経路に、玉が１個以上順列できる空間５を設ける。発射玉待機位置に既に玉があって、該玉に接触して該発射玉待機位置に行けなかった玉を、排出するための排出経路６を設ける。本来なら空いている前記発射玉待機位置に、別の玉１が存在する場合、次に繰り出そうとした玉は、排出経路６より排出される。【選択図】図１５
2007190092.tif 000002
【特許請求の範囲】
【請求項１】
１個ずつ順に繰り出される玉を遊技盤へ発射する遊技機の発射装置において、
発射玉待機位置にある玉を遊技盤へと発射する玉発射機構部と、
該発射玉待機位置へと玉を繰り出す玉供給装置と、
上記繰り出しの玉を前記発射玉待機位置へ取り込む経路に設けられ、玉が１個以上順列できる空間と、
前記発射玉待機位置に既に玉があって、該玉に接触して該発射玉待機位置に行けなかった玉を、排出するための排出経路と、を設けるようにしたことを特徴とする遊技機の発射装置。
【請求項２】
請求項１に記載の遊技機の発射装置において、
前記空間に、前記発射球待機位置へ玉を誘導すると共に、前記接触に際して球を前記排出経路へと排出するための下り斜面を備えた誘導路を設けたことを特徴とする遊技機の発射装置。
【発明の詳細な説明】
【技術分野】
【０００１】
本発明は、既に玉が存在する発射玉待機位置に、次の玉が繰り出されることで生じる不具合を解消することができる遊技機の発射装置に関する。
【背景技術】
【０００２】
図１は、従来からの遊技機の発射装置の全景を示した斜視図である。図２及び図３は、該発射装置の玉供給装置１０の内部動作を示すための断面図である。又、図４〜図８は、内部動作を示すための、遊技機左方より見た、玉供給装置１０の玉繰り出し手順を示した断面図である。
【０００３】
これらの図に示される従来や、特許文献１に開示される遊技機の発射装置では、玉供給装置１０は、その外部より供給され、経路ケース１３の上部に整列する玉１を１つずつ、玉送り部材１２の回動動作によって、玉発射機構部２０の発射玉待機位置４へと繰り出される。該玉供給装置１０では、該発射玉待機位置４に繰り出された玉１を、発射レール２２を登るように打玉杵２４が打ち出し、発射する。この打玉は、電動機２５の駆動力を一旦ばねに蓄えた瞬発力による。
【０００４】
なお、図４において、球送り部材１２は、反時計回りの回動の動作端となっており、又球受け部３は、左側の発射球待機位置４側を向いている。このような球送り部材１２の回動位置を、以下左回動端と呼ぶ。又、図５において、球送り部材１２は、時計回りの回動の動作端となっており、又球受け部３は、上側の玉１が供給される側を向いている。このような球送り部材１２の回動位置を、以下上回動端と呼ぶ。
【０００５】
以下、発射玉待機位置４への玉１の供給、及び該発射玉待機位置４にある玉１の発射について、動作順に説明する。
【０００６】
まず、図２及び図４の段階では、左回動端の玉送り部材１２の玉受け部３から、玉１が既に供給され、該玉１は、該発射玉待機位置４に位置する。次に、図３及び図５の段階では、次の玉の繰り出しを行うために、上回動端の玉送り部材１２の玉受け部３へと、玉１が転がり込み、玉送り部材１２は玉を１つくわえ込む。
【０００７】
そして、この後、上回動端から左回動端へと玉送り部材１２が回動してゆき、図６の状態になり、続いて図７の状態となる。そして、更に回動し、図８では、球送り部材１２は左回動端となり、玉受け部３は、前述の図２及び図４と同様、左側を向いた状態になる。
【０００８】
他方、図２及び図４の段階で発射玉待機位置４にあった玉１は、玉送り部材１２が図８の回動位置になる以前に、打玉杵２４によって打ち出され、発射される。即ち、次の玉１が玉供給装置１０から発射球待機位置４へ供給されるまでに、発射玉待機位置４の玉１は、打玉杵２４によって打ち出されている。
【０００９】
【特許文献１】実公平０４−０３８８５９号公報
【発明の開示】
【発明が解決しようとする課題】
【００１０】
しかしながら、次の玉１を発射玉待機位置４に繰り出す際、本来なら空いている該発射玉待機位置４に、別の玉１が存在する場合がある。例えば、一旦は打玉杵２４によって打ち出されたいわゆるファール玉や、ファール玉に衝突して戻された次の玉や、発射力が弱くてファール玉回収口まで届かなかった玉が、この発射玉待機位置４に戻ってきている場合などである。
【００１１】
そして、このような場合には、玉供給装置１０の可動部がロックしてしまう。あるいは、複数の玉１が発射玉待機位置４に繰り出されてしまう。このような問題は、従来、特に対策がなされていなかった。
【００１２】
例えば、前述のように図８の状態以前には、打玉杵２４によって打ち出されて、本来発射玉待機位置４は空きになっているにもかかわらず、図９に示すように、玉１−１が存在するとする。ここへ、次の玉１−２を繰り出そうとしても、該玉１−２は、玉１−１に接触し、このため、図９に図示する位置まで移動して停止してしまう。
【００１３】
この後、図１０に示すように、該玉１−２が該停止状態にもかかわらず、玉送り部材１２が図中において時計回りで回動すると、図１１では、玉１−２はやや持ち上げられている。この後、図１２では、玉１−２は、レールベース２３の下縁部２３ａや、経路ケース１３の下縁部１３ａと、玉受け部３の先端部３ａとの間に挟まれた状態となり、玉送り部材１２の回動はロック状態になってしまい、該玉送り部材１２はこれ以上回動できなくなる。
【００１４】
あるいは、発射球待機位置４における玉１−１の位置によっては、後からの玉１−２も、発射玉待機位置４へと繰り出される。そうして、該発射玉待機位置４において、これらの玉が発射方向に直列状態になる場合もある。この場合は、複数の玉が、打玉杵２４によって同時に打ち出され、発射されることになる。すると、ある場合は、発射力が不足してファール玉となり、これらの玉は玉皿へ戻される。あるいは、ファール玉回収口まで到達せず、玉が３個４個と更に溜まっていき、又いずれ上述の玉送り部材１２のロック状態を引き起こしてしまう場合もある。
【００１５】
本発明は、前記従来の問題点を解決するべくなされたもので、既に玉が存在する発射玉待機位置に、次の玉が繰り出されることで生じる不具合を解消することができる遊技機の発射装置を提供することを課題とする。
【課題を解決するための手段】
【００１６】
本願発明は、１個ずつ順に繰り出される玉を遊技盤へ発射する遊技機の発射装置において、発射玉待機位置にある玉を遊技盤へと発射する玉発射機構部と、該発射玉待機位置へと玉を繰り出す玉供給装置と、上記繰り出しの玉を前記発射玉待機位置へ取り込む経路に設けられ、玉が１個以上順列できる空間と、前記発射玉待機位置に既に玉があって、該玉に接触して該発射玉待機位置に行けなかった玉を、排出するための排出経路と、を設けるようにしたことにより、前記課題を解決したものである。
【００１７】
又、上記遊技機の発射装置において、前記空間に、前記発射球待機位置へ玉を誘導すると共に、前記接触に際して球を前記排出経路へと排出するための下り斜面を備えた誘導路を設けたことにより、前記課題を解決したものである。
【００１８】
以下、本発明の作用について、簡単に説明する。
【００１９】
本願発明では、１個ずつ順に繰り出される玉を遊技盤へ発射する遊技機の発射装置において、まず、発射玉待機位置にある玉を遊技盤へと発射する玉発射機構部と、該発射玉待機位置へと玉を繰り出す玉供給装置と、を備える。
【００２０】
そして、上記繰り出しの玉を前記発射玉待機位置へ取り込む経路に、玉が１個以上順列できる空間を設ける。又、前記発射玉待機位置に既に玉があって、該玉に接触して該発射玉待機位置に行けなかった玉を、排出するための排出経路を設ける。
【００２１】
なお、上記の空間について、本願発明は具体的に限定するものではない。該空間には、例えば、上記の発射球待機位置へ玉を誘導するための誘導路を設けると共に、該誘導路には、前記接触に際して球を前記排出経路へと排出する構造を含めるようにしてもよい。例えば、該接触に際して、球を該排出経路へと排出するための下り斜面を、該誘導路に設ける。
【００２２】
従って、本来なら空いている前記発射玉待機位置に、別の玉１が存在する場合、次に該発射球待機位置へ繰り出そうとした玉は、前記排出経路より排出されるので、前記玉発射機構部や前記玉供給装置に対して影響を与えることがない。
【発明の効果】
【００２３】
上述のように、本願発明によれば、既に玉が存在する発射玉待機位置に、次の玉が繰り出されることで生じる不具合を解消することができる遊技機の発射装置を提供することができる。
【発明を実施するための最良の形態】
【００２４】
以下、図を用いて本発明の実施の形態を詳細に説明する。
【００２５】
図１３は、本願発明が適用された実施形態の遊技機の発射装置全体を示す斜視図である。図１４は、該斜視図とほぼ同一方向より見た、玉送り部材１２付近の断面図である。図１５は、玉の発射方向より見た、同玉送り部材１２付近の断面図である。
【００２６】
又、図１６は、発射玉待機位置４が空きの場合で、玉供給装置１０か玉１を繰り出す様子を示す斜視図である。他方、図１７は、発射玉待機位置４に玉１−１がある状態で、次の玉１−２を、玉供給装置１０が繰り出す様子を示す斜視図である。
【００２７】
図１８は、本実施形態の補助経路６を中心とした斜視図である。図１９は、この補助経路６を中心とした側面図である。
【００２８】
本実施形態では、玉供給装置１０から、玉発射機構部２０の発射玉待機位置４に玉１を繰り出す経路に、本願発明を適用した空間、即ち待機前空間５を設けている。又、該待機前空間５には、玉１が転がる補助経路６が設けられている。該補助経路６は、本願発明の排出経路となり、又誘導路となる。
【００２９】
なお、本実施形態の球供給装置１０及び球発射機構部２０は、それ自体は図示しながら前述した従来例と同じものになっている。
【００３０】
まず、主として図１６により、発射玉待機位置４に玉１がない状態について説明する。玉送り部材１２の玉受け部３に玉１が１つ取り込まれた状態で、該玉送り部材１２が左回動端まで、即ち図１５に示す位置まで回動する。すると、該玉受け部３にあった玉１は、該玉受け部３内部における傾斜を図中左へと転がり、又そのままの勢いで補助経路６の上面も転がって、玉発射機構部２０の発射玉待機位置４へと繰り出される。
【００３１】
なお、補助経路６の上面には、図１５では向こう側より手前側が低い下りとなる、図１９では右側より左側が低い下りとなる、比較的緩やかな傾斜が設けられている。該傾斜は、上述のように玉受け部３から玉１が転がる進路が、発射玉待機位置４から逸れないように、緩やかになっている。
【００３２】
次に、主として図１７により、発射玉待機位置４に玉１−１がある状態について説明する。玉送り部材１２の玉受け部３に玉１−２が１つ取り込まれた状態で、該玉送り部材１２が左回動端まで、即ち図１５に示す位置まで回動する。すると、該玉受け部３にあった玉１は、該玉受け部３内部における傾斜を図中左へと転がるものの、玉１−１に接触し、補助経路６上で停止する。
【００３３】
ここで、前述のように、補助経路６には、比較的緩やかな傾斜が設けられている。従って、該停止の玉１−２は、該傾斜に従って転がり、図１５では手前側となる方向へ、あるいは図１９では左側となる方向へ、排出されるようになっている。該補助経路６は、この場合は排出経路とされ、例えば玉皿へと排出される。図１９において、玉１−２は、発射玉待機位置４より左側に図示され、排出の途上として図示されている。
【００３４】
なお、補助経路６は、このように排出経路とされるので、その幅は、少なくとも、玉１の直径より大となる。又、その傾斜の度合いは、前述のように発射玉待機位置４へ玉が繰り出される進路を逸らさないような緩やかさであるが、上記排除には十分の傾斜である必要がある。
【００３５】
以上に説明したように、本実施形態によれば、本願発明を効果的に適用することができる。
【００３６】
なお、本実施形態では、補助経路６として、排出経路と、発射玉待機位置への誘導路とを、１つの部品で構成したが、別部品で構成してもよい。又、補助経路６は、玉供給装置１０や玉発射機構部２０などとは独立するような、別部品としてもよい。あるいは、他部品、例えば、経路ケース１３やレールベース２３などと組み合わせて一体化してもよい。又、発射玉待機位置４への誘導路を省略し、待機前空間５と排出経路だけで構成しても、本発明の主目的を達成することができる。
【産業上の利用可能性】
【００３７】
以上説明したとおり、既に玉が存在する発射玉待機位置に、次の玉が繰り出されることで生じる不具合を解消することができる遊技機の発射装置を提供することができる。
【００３８】
本願発明によれば、何らかの理由により発射玉待機位置に玉がある状態になったときに発生するトラブル、例えば、機械停止（ロック）、複数玉の打玉による発射力低下や、ファール玉が連続して発生するなどの問題を防ぐことができる。
【図面の簡単な説明】
【００３９】
【図１】従来からの遊技機の発射装置の全景を示した斜視図。
【図２】該発射装置の玉供給装置の球送り部材が左回動端での内部動作を示すための断面図。
【図３】該発射装置の玉供給装置の球送り部材が上回動端での内部動作を示すための断面図。
【図４】前記従来例において内部動作を示すための、遊技機左方より見た、玉供給装置の玉繰り出し手順を示した第１の断面図。
【図５】前記従来例において内部動作を示すための、遊技機左方より見た、玉供給装置の玉繰り出し手順を示した第２の断面図。
【図６】前記従来例において内部動作を示すための、遊技機左方より見た、玉供給装置の玉繰り出し手順を示した第３の断面図。
【図７】前記従来例において内部動作を示すための、遊技機左方より見た、玉供給装置の玉繰り出し手順を示した第４の断面図。
【図８】前記従来例において内部動作を示すための、遊技機左方より見た、玉供給装置の玉繰り出し手順を示した第５の断面図。
【図９】前記従来例において、発射球待機位置に玉がある場合の、玉供給装置の玉繰り出し動作順を示した第１の断面図。
【図１０】前記従来例において、発射球待機位置に玉がある場合の、玉供給装置の玉繰り出し動作順を示した第２の断面図。
【図１１】前記従来例において、発射球待機位置に玉がある場合の、玉供給装置の玉繰り出し動作順を示した第３の断面図。
【図１２】前記従来例において、発射球待機位置に玉がある場合の、玉供給装置の玉繰り出し動作順を示した第４の断面図。
【図１３】本願発明が適用された実施形態の遊技機の発射装置全体を示す斜視図。
【図１４】該斜視図とほぼ同一方向より見た、玉送り部材付近の断面図。
【図１５】玉の発射方向より見た、上記の玉送り部材付近の断面図。
【図１６】前記実施形態において発射玉待機位置が空きの場合で、玉供給装置か玉１を繰り出す様子を示す斜視図。
【図１７】前記実施形態において発射玉待機位置に玉１−１がある状態で、次の玉１−２を、玉供給装置１０が繰り出す様子を示す斜視図。
【図１８】前記実施形態の補助経路を中心とした斜視図。
【図１９】該補助経路を中心とした側面図。
【符号の説明】
【００４０】
１…玉
３…玉受け部
４…発射玉待機位置
５…待機前空間
６…補助経路
１０…玉供給装置
１２…玉送り部材
１３…経路ケース
２０…玉発射機構部
２２…発射レール
２３…レールベース
２４…打玉杵
２５…電動機
【図１】
2007190092.tif 000003
【図２】
2007190092.tif 000004
【図３】
2007190092.tif 000005
【図４】
2007190092.tif 000006
【図５】
2007190092.tif 000007
【図６】
2007190092.tif 000008
【図７】
2007190092.tif 000009
【図８】
2007190092.tif 000010
【図９】
2007190092.tif 000011
【図１０】
2007190092.tif 000012
【図１１】
2007190092.tif 000013
【図１２】
2007190092.tif 000014
【図１３】
2007190092.tif 000015
【図１４】
2007190092.tif 000016
【図１５】
2007190092.tif 000017
【図１６】
2007190092.tif 000018
【図１７】
2007190092.tif 000019
【図１８】
2007190092.tif 000020
【図１９】
2007190092.tif 000021